(57)【要約】【課題】電話線端子台に対する配線作業の作業性を向上させる。【解決手段】電話端子台２は、他の内器（Ｕ／Ｖ・ＢＳ・ＣＳブースタＢやスイッチングハブＳＨ）と同様にして本体２０をボックス１のボディ３に取り付けられる。その後、本体２０からカバー３０を取り外せば、加入者線接続端子部４１や電話線接続端子部４２に対する電話線の接続（配線）作業を手元で行うことができる。したがって、従来と同様にカバー３０を本体２０に取り付けた状態で配線作業を行う場合、つまり、天井に近い高所で作業する場合と比較して配線作業の作業性が向上する。【選択図】図１
2008277427.tif 000002
【特許請求の範囲】
【請求項１】
少なくとも通信用機器を内器としてボックスに収納し、宅内に設置された情報用コンセントへの配線を集線するマルチメディアポートにおいて、
ボックスは、底部が壁面に固定され且つ前面が開放された扁平な箱形のボディと、ボディの前面側に被着されてボディ前面を覆うボックスカバーとで構成され、内器を取り付けるための複数の取付手段がボディの内底面に設けられてなり、
通信用機器の一種であって保安器から導出された電話線が接続される加入者線接続端子部、それぞれ加入者線接続端子部を介して前記電話線に分岐接続されるとともに宅内配線用の電話線が接続される複数の電話線接続端子部を有する電話線端子台を内器として備え、
電話線端子台は、取付手段によってボディ内底面に取り付けられる箱形の本体と、本体前面に着脱自在に装着されるカバーとを有し、前記加入者線接続端子部並びに複数の電話線接続端子部がカバーに設けられてなることを特徴とするマルチメディアポート。
【請求項２】
前記カバーは、本体前面を覆う前板部と、前板部の両端縁より後方へ突出する側板部とを有し、
カバーの側板部における下端縁と、本体側面に設けられて前記側板部の下端縁に突き合わされる段部とを前方に向かって下方へ傾斜させてなることを特徴とする請求項１記載のマルチメディアポート。
【請求項３】
本体とカバーの一方に係止部が設けられ、当該係止部が係脱自在に係止する被係止部が本体とカバーの他方に設けられたことを特徴とする請求項１又は２記載のマルチメディアポート。
【請求項４】
屋内に配線された電源線が接続される電源線接続端子部と、電源線接続端子部を介して電源線に接続されるとともに電源を必要とする内器に対する給電用の給電線が接続される１乃至複数の給電線接続端子部とが本体内に収納され、
ＬＡＮケーブルに付設されたモジュラプラグを挿抜自在に接続するためのモジュラジャックがカバーに設けられたことを特徴とする請求項１〜３の何れか１項に記載のマルチメディアポート。
【発明の詳細な説明】
【技術分野】
【０００１】
本発明は、少なくとも通信用機器を内器としてボックスに収納し、宅内に設置された情報用コンセントへの配線を集線するマルチメディアポートに関するものである。
【背景技術】
【０００２】
従来より、壁面に取り付けられる合成樹脂製のボディと、ボディの前面開口部に被着される合成樹脂製のボックスカバーとで構成されるボックスを備え、このボックス内に映像用機器や通信用機器などの内器を収納し、宅内に設置された情報用コンセントへの配線を集線するマルチメディアポートが提供されている（例えば、特許文献１参照）。ここで、従来のマルチメディアポートの内器として、ＵＨＦ及びＶＨＦの地上波放送やＢＳ又はＣＳの衛星放送を受信するアンテナと接続されそれぞれのアンテナで受信した信号の増幅や分配を行うＵ／Ｖ・ＢＳ・ＣＳブースタ、保安器から導出された電話線（加入者線）を宅内配線用の複数の電話線に分岐接続するための電話線端子台、宅内にＬＡＮを構築する際に用いられるスイッチングハブ、あるいはＵ／Ｖ・ＢＳ・ＣＳブースタやスイッチングハブのように電源を必要とする内器に対して商用交流電源を供給するための電源線並びに給電線が接続される電源端子台などがあった。
【特許文献１】特開２０００−１３３９６０号公報
【発明の開示】
【発明が解決しようとする課題】
【０００３】
ところで、上述のようなマルチメディアポートは住宅用分電盤（住宅盤）と同様に宅内の壁面における天井に近い位置に配設されることが多いため、内器に対する配線作業の作業性が悪いという問題があった。特に、電話線端子台においては電話線の線径が細く且つ接続しなければならない電話線の本数も多いために配線作業に多大な時間と労力が必要であった。
【０００４】
本発明は上記事情に鑑みて為されたものであり、その目的は、電話線端子台に対する配線作業の作業性を向上したマルチメディアポートを提供することにある。
【課題を解決するための手段】
【０００５】
請求項１の発明は、上記目的を達成するために、少なくとも通信用機器を内器としてボックスに収納し、宅内に設置された情報用コンセントへの配線を集線するマルチメディアポートにおいて、ボックスは、底部が壁面に固定され且つ前面が開放された扁平な箱形のボディと、ボディの前面側に被着されてボディ前面を覆うボックスカバーとで構成され、内器を取り付けるための複数の取付手段がボディの内底面に設けられてなり、通信用機器の一種であって保安器から導出された電話線が接続される加入者線接続端子部、それぞれ加入者線接続端子部を介して前記電話線に分岐接続されるとともに宅内配線用の電話線が接続される複数の電話線接続端子部を有する電話線端子台を内器として備え、電話線端子台は、取付手段によってボディ内底面に取り付けられる箱形の本体と、本体前面に着脱自在に装着されるカバーとを有し、前記加入者線接続端子部並びに複数の電話線接続端子部がカバーに設けられてなることを特徴とする。
【０００６】
請求項２の発明は、請求項１の発明において、前記カバーは、本体前面を覆う前板部と、前板部の両端縁より後方へ突出する側板部とを有し、カバーの側板部における下端縁と、本体側面に設けられて前記側板部の下端縁に突き合わされる段部とを前方に向かって下方へ傾斜させてなることを特徴とする。
【０００７】
請求項３の発明は、請求項１又は２の発明において、本体とカバーの一方に係止部が設けられ、当該係止部が係脱自在に係止する被係止部が本体とカバーの他方に設けられたことを特徴とする。
【０００８】
請求項４の発明は、請求項１〜３の何れか１項の発明において、屋内に配線された電源線が接続される電源線接続端子部と、電源線接続端子部を介して電源線に接続されるとともに電源を必要とする内器に対する給電用の給電線が接続される１乃至複数の給電線接続端子部とが本体内に収納され、ＬＡＮケーブルに付設されたモジュラプラグを挿抜自在に接続するためのモジュラジャックがカバーに設けられたことを特徴とする。
【発明の効果】
【０００９】
請求項１の発明によれば、電話線端子台が、取付手段によってボディ内底面に取り付けられる箱形の本体と、本体前面に着脱自在に装着されるカバーとを有し、前記加入者線接続端子部並びに複数の電話線接続端子部がカバーに設けられてなるので、加入者線接続端子部及び複数の電話線接続端子部にそれぞれ電話線を接続する際、ボディからカバーを外して手元で作業することができ、従来のように天井に近い高所で作業する場合と比較して電話端子台に対する配線作業の作業性が向上する。
【００１０】
請求項２の発明によれば、カバーの側板部における下端縁と、本体側面に設けられて前記側板部の下端縁に突き合わされる段部とを前方に向かって下方へ傾斜させているので、電話端子台の本体に対して下からカバーを取り外す際の作業性が向上する。
【００１１】
請求項３の発明によれば、本体とカバーの一方に係止部が設けられ、当該係止部が係脱自在に係止する被係止部が本体とカバーの他方に設けられたので、工具を使わずにカバーを本体に装着し且つ取り外すことができるために作業性がさらに向上する。
【００１２】
請求項４の発明によれば、屋内に配線された電源線が接続される電源線接続端子部と、電源線接続端子部を介して電源線に接続されるとともに電源を必要とする内器に対する給電用の給電線が接続される１乃至複数の給電線接続端子部とが本体内に収納され、ＬＡＮケーブルに付設されたモジュラプラグを挿抜自在に接続するためのモジュラジャックがカバーに設けられたので、強電系の電源線接続端子部並びに給電線接続端子部と、弱電系の加入者線接続端子部、電話線接続端子部、モジュラジャックとを容易に分離することができて作業性がさらに向上する。
【発明を実施するための最良の形態】
【００１３】
以下、図面を参照して本発明の実施形態を詳細に説明する。
【００１４】
（実施形態１）
本実施形態のマルチメディアポートは、図２及び図３に示すように横長の略直方体形状をしたボックス１内に、通信用機器たる電話端子台２と、同じく通信用機器たるスイッチングハブＳＨと、映像用機器たるＵ／Ｖ・ＢＳ・ＣＳブースタＢとを内器として収納して構成されている。但し、ボックス１内に収納される内器はこれらに限定されるものではなく、使用者宅の設備に応じて適宜追加又は変更可能である。
【００１５】
ボックス１は、前面が開放された扁平な箱形の合成樹脂成形品からなるボディ３と、ボディ３の前面側に被着されてボディ３前面を覆うボックスカバー４とで構成される。ボディ３の底壁における四隅にねじ挿通孔３ａが設けられており、これらのねじ挿通孔３ａに挿通したねじ３ｂを壁材に螺合させることでボディ３が壁面に固定される。ボディ３の底壁における上端部並びに下端部にはノックアウト方式の複数（図示例では４つずつ）の通線口３ｃがそれぞれ横方向一列に列設されており、ボックス１内に収納する内器の数や配置に合わせて適宜の通線口３ｃを開口させ、開口させた通線口３ｃを通して保安器から導出された電話線（加入者線）や住宅盤から配線されている電源線がボックス１内に導入されるとともに、後述するように電話端子台２に接続された宅内配線用の電話線やスイッチングハブＳＨに接続されたＬＡＮケーブルが通線口３ｃを通してボックス１外へ導出される。また、ボディ３の底壁には、内器を取り付けるための取付手段が設けてある。取付手段は、底壁から前方へ突設された鈎形の係止爪３ｄと、取付ねじ３ｅが螺合するねじ孔を有した円筒形のボス３ｆとを有し、複数の係止爪３ｄが底壁の下部に等間隔で横方向一列に列設されるとともに、複数のボス３ｆが底壁の上部に同じく等間隔で横方向一列に列設されている。なお、ボディ３の上側壁と下側壁には、ボックスカバー４の開口縁に設けられた係止段部（図示せず）を弾性係止してボックスカバー４をボディ３の前面に取り外し自在に被着するための爪３ｇがそれぞれ各一対ずつ設けられている。
【００１６】
ボックスカバー４は、後面が開放された扁平な箱形の合成樹脂成形品からなり、前壁における左右方向の片側（図２（ａ）における左側）寄りに矩形の窓孔４ａが設けられている。そして、上側壁と下側壁の開口縁に設けられている係止段部（図示せず）にボディ３の爪３ｇを弾性係止することでボックスカバー４がボディ３の前面に被着される。
【００１７】
次に、各内器の機能及び構造について説明する。
【００１８】
Ｕ／Ｖ・ＢＳ・ＣＳブースタＢは、箱形の合成樹脂成形品からなる本体１００内にブースタ回路、混合器、分配器を内蔵しており、アンテナからのＵＨＦ信号、ＶＨＦ信号、ＢＳ信号、ＣＳ信号を混合し且つ増幅して住戸内の各部屋に設置されている情報コンセント（テレビコンセント）に出力するものである。本体１００の下部に段部が形成されるとともに、かかる段部の一部に更に段部が形成され、上側の段部によって形成された下向き面にＵ／Ｖ用のアンテナからの同軸ケーブルが接続される入力端子１０１と、ＢＳ及びＣＳ用のアンテナからの同軸ケーブルが接続される入力端子１０２とが横方向に並設されている。また、本体１００の上部にも段部が形成されて２つの上向き面が設けられており、それぞれの上向き面に情報コンセント（テレビコンセント）に一端が接続される同軸ケーブルをそれぞれ接続する各４つずつの出力端子１０３が横方向に並設されている。なお、本体１００の下部に形成されている下側の段部によって形成された下向き面にはブースタ回路等の動作電源を得るための給電線２００が挿入される電線挿入孔（図示せず）が設けられ、電線挿入孔に挿入された給電線が本体１００内に収納されている速結端子（図示せず）に接続される。
【００１９】
スイッチングハブＳＨは、箱形の合成樹脂成形品からなる本体１１０前面に８個のポート（ＲＪ４５のモジュラジャック）１１１が縦方向２列に並設され、本体１１０内に収納されている速結端子（図示せず）に給電線２０１を接続するための電線挿入孔（図示せず）が下端面に設けられている。
【００２０】
これらの機器の本体１００，１１０の上下端にはそれぞれ薄い平板状の取付片１０４，１１４が一体に突設され、各取付片１０４，１１４にはボディ３のボス３ｆと等しい又は整数倍の間隔で取付孔１０５，１１５が貫設されている。ここで上側の取付片１０４，１１４の取付孔１０５，１１５はだるま孔にて形成され、下側の取付片１０４，１１４の取付孔１０５，１１５は丸孔にて形成される。
【００２１】
而して、下側の取付片１０４，１１４をボディ３の底壁下側に設けられている係止爪３ｄに係止させるとともに上側の取付片１０４，１１４に穿孔されている取付孔１０５，１１５を通してボディ３の底壁上側に設けられているボス３ｆのねじ孔に取付ねじ３ｅを螺合することで本体１００，１１０がボディ３に取り付けられる（図３参照）。
【００２２】
次に、本発明の要旨である電話端子台２の構成について説明する。
【００２３】
電話端子台２は、図１並びに図４〜図６に示すようにボディ３に設けられている取付手段（ボス３ｆ並びに係止爪３ｄ）によってボディ３の内底面（底壁前面）に取り付けられる箱形の本体２０と、本体２０前面に着脱自在に装着されるカバー３０とを有している。本体２０は、矩形板状の合成樹脂成形品からなるベース２１と、後面が開放された略矩形箱形の合成樹脂成形品からなりベース２１の前面に結合される端子台ボディ２２とで構成される。ベース２１には合計５つのボス２１ａが前方へ突設されており、ボス２１ａに設けられているねじ挿通孔に後方から挿通したねじ２１ｂを端子台ボディ２２の後面側に設けられているねじ孔（図示せず）に螺合することで両者がねじ止めされる。また、ベース２１前面には平面視略矩形の周壁２１ｃが前方へ突設されており、かかる周壁２１ｃの下側部分にはボディ３の係止爪３ｄがそれぞれに挿入係止する複数（図示例では３つ）の被係止部２１ｄが横方向に等間隔で並設されている。なお、ベース２１と端子台ボディ２２を結合したときにベース２１の周壁２１ｃ先端に端子台ボディ２２の後端縁が突き合わされる。
【００２４】
また、屋内に配線された電源線が接続される２つの電源線接続端子部２３と、電源線接続端子部２３を介して電源線に接続されるとともに電源を必要とする内器（本実施形態においてはＵ／Ｖ・ＢＳ・ＣＳブースタＢとスイッチングハブＳＨ）に対する給電用の給電線２００，２０１が接続される複数（図示例では３つ）の給電線接続端子部２４とが本体２０内に収納されている。但し、２つの電源線接続端子部２３のうちの一方は接地線が接続されるものである。電源線接続端子部２３並びに給電線接続端子部２４は何れも同一構造の速結端子からなり、それぞれ矩形平板状の絶縁基板に実装されて本体２０内に収納される。
【００２５】
端子台ボディ２２の前面には下方に向かって後方へ下がる２段の段部が設けられており、上側の段部によって形成された下向き面には２つの電源線接続端子部２３の下面（電線挿入孔２３ａが開口する面）を露出するための孔が設けられ、同じく、下側の段部によって形成された下向き面には３つの給電線接続端子部２４の下面（電線挿入孔２４ａが開口する面）を露出するための孔が設けられ、各孔を通して露出する電線挿入孔２３ａ，２４ａに電源線２００並びに給電線２０１が挿入されて各端子部２３，２４と接続される（図３及び図４参照）。また、端子台ボディ２２における各段部の前面には、電源線接続端子部２３や給電線接続端子部２４を構成する速結端子の解除孔２３ｂ，２４ｂに連通する複数の孔２２ｄが横方向に並設されており、各孔２２ｄを通して解除孔２３ｂ，２４ｂに挿入した工具（例えば、マイナスドライバ）の先端で速結端子の解除釦（図示せず）を操作すれば各端子部２３，２４に接続されている電源線２００や給電線２０１を取り外すことができる。なお、この種の速結端子の構造については従来周知であるから詳細な説明は省略する。
【００２６】
また、端子台ボディ２２の前面にはコンセント９０が取り付けられる。このコンセント９０は、大角形連用配線器具の取付枠（ＪＩＳ  Ｃ  ８３７５参照）に取付可能な取付爪９１を有するアースターミナル付きのものであって、それぞれに電源プラグが挿抜自在に接続される２極の差込口９２が上下方向に並設されるとともに、下側の差込口９２の下側に扉付きのアースターミナル９３が設けられている。一方、端子台ボディ２２の前面上部における左寄半分の部分には、コンセント９０の後端部を嵌め込むための矩形孔２２ａが設けられ、さらに端子台ボディ２２前面における矩形孔２２ａ周縁にはコンセント９０の取付爪９１がそれぞれ挿入係止される係止孔２２ｃを設けた４つの取付片２２ｂが前方へ突設されている。そして、図６に示すように後端部を矩形孔２２ａに嵌め込むようにして合計４つの取付爪９１をそれぞれ取付片２２ｂの係止孔２２ｃに挿入係止することで端子台ボディ２２の前面にコンセント９０が取り付けられる。なお、コンセント９０は複数の速結端子を内蔵しており、本体２０内部において電源線接続端子部２３と接続されるとともに給電線接続端子部２４が送り配線で接続されている（図２参照）。
【００２７】
さらに、端子台ボディ２２の前面に設けられた取付孔２２ｅにＲＪ４５のＬＡＮ用のモジュラジャック８０が埋込配設される。モジュラジャック８０に接続されているＬＡＮケーブル８１は、電源線接続端子部２３の電線挿入孔が露出している下向き面に設けられている挿通孔２２ｆを通して本体２０の外に引き出され（図１参照）、その先端に付設されているＲＪ４５のモジュラプラグ８２がスイッチングハブＳＨのポート１１１に接続される（図３参照）。
【００２８】
カバー３０は、後面並びに下面が開放した略箱形であって上部に段部が形成された合成樹脂成形品からなり、電話線接続端子ブロック４０と露出端子ブロック５０を内側に収納している。電話線接続端子ブロック４０は、保安器から導出された電話線（加入者線）が接続される加入者線接続端子部４１と、それぞれ宅内配線用の電話線が接続される複数の電話線接続端子部４２とがプリント配線板４４に実装されて構成されている。但し、上段の電話線接続端子部４２は一つで２回線の電話線が接続可能である。
【００２９】
露出端子ブロック５０は、ＲＪ１５タイプの２つのモジュラジャック５１，５２とスライドスイッチ５３がプリント配線板５４に実装されて構成されている。ここで、電話線接続端子ブロック４０の加入者線接続端子部４１は、プリント配線板４４に形成されている配線パターン（図示せず）、リード線５５、並びに露出端子ブロック５０のプリント配線板５４に形成されている配線パターン（図示せず）を介してスライドスイッチ５３の共通端子と接続されている。また、スライドスイッチ５３の一方の切換端子がプリント配線板５４の配線パターンを介して第１のモジュラジャック５１に接続されるとともに、スライドスイッチ５３の他方の切換端子がプリント配線板４４，５４の配線パターン並びにリード線５５を介して電話線接続端子部４２と第２のモジュラジャック５２に分岐接続されている。つまり、スライドスイッチ５３の操作摘み５３ａを操作することで共通端子が一対の切換端子に択一的に切換接続され、一方の切換端子に切換接続されている状態では第１のモジュラジャック５１が加入者線接続端子部４１を介して加入者線に接続されるとともに電話線接続端子部４２と第２のモジュラジャック５２が加入者線から切り離され、他方の切換端子に切換接続されている状態では電話線接続端子部４２と第２のモジュラジャック５２が加入者線接続端子部４１を介して加入者線に接続されるとともに第１のモジュラジャック５１が加入者線から切り離されるようになっている。
【００３０】
電話線接続端子ブロック４０は、カバー３０における段部上側の部分に収納される。段部によって一段後方へ下がったカバー３０上部の前板部には、電話線接続端子ブロック４０の加入者線接続端子部４１並びに電話線接続端子部４２の前面を露出させるための窓孔３０ａが設けられ、この窓孔３０ａを通して各端子部４１，４２の前面に設けられている電線挿入孔４１ａ，４２ａが外部に露出することになる。また、カバー３０の上部を除く前板部には、コンセント９０前面を露出させるための窓孔３０ｂと、露出端子ブロック５０の第１及び第２のモジュラジャック５１，５２の差込口を露出させるための一対の窓孔３０ｃと、本体２０に収納されているＬＡＮ用のモジュラジャック８０の差込口を露出させるための窓孔３０ｄと、スライドスイッチ５３の操作摘み５３ａを操作するための窓孔３０ｅとが貫設されている。なお、これら３つの窓孔３０ｃ，３０ｃ，３０ｄには上下方向にスライド移動する扉が配設されており、モジュラプラグが接続されていない状態においては各扉が自重で下に降りて窓孔３０ｃ，３０ｄを閉じるようになっている。また、これらの窓孔３０ａ〜３０ｅが貫設されている前板部前面には、各窓孔３０ａ〜３０ｅから露出する端子部４１，４２やモジュラジャック５１，５２等を識別するための文字や記号を印刷した銘板３１が貼着される。
【００３１】
カバー３０上側の側板部には、ベース２１の上部に設けられている一対の嵌合凹部２１ｅと各別に嵌合する一対の嵌合突起（図示せず）が突設され、カバー３０下側の側板部には、固定ねじ３２を回動自在に保持するための保持孔３３ａを貫通させた突起３３が下方へ突設されている。すなわち、上側側板部の嵌合突起をベース２１の嵌合凹部２１ｅにそれぞれ嵌合するとともに、嵌合凹部２１ｅに嵌合させた嵌合突起を支点として後方へ回動させるようにしてカバー３０を本体２０の前面に被せ（図７参照）、突起３３の保持孔３３ａに保持されている固定ねじ３２を、本体２０（端子台ボディ２２）の前板部に設けられているねじ孔２２ｇに螺合させて締め付けることでカバー３０が本体２０に固定される。また、固定ねじ３２を緩め、嵌合凹部２１ｅに嵌合させた嵌合突起を支点として前方へ回動させるようにしてカバー３０を本体２０の前面から離し、嵌合突起と嵌合凹部２１ｅの嵌合を外せば、本体２０からカバー３０を容易に取り外すことができる。ここで、本体２０（端子台ボディ２２）の左右両側面にはカバー３０の左右両側板部と嵌合して互いに面一になるようにするための凹部２２ｈが形成され、カバー３０の左右両側板部における下端縁と、凹部２２ｈと本体２０（端子台ボディ２２）の側面との境界に形成されている段部２２ｉとが前方に向けて下方へ傾斜させてあるので、上述のように嵌合突起を支点としてカバー３０を回動させる際にカバー３０の左右両側の側板部が本体２０の段部２２ｉと干渉することがなく、カバー３０をスムーズに本体２０に装着し且つ取り外すことができる。
【００３２】
上述のように構成される電話端子台２は、他の内器（Ｕ／Ｖ・ＢＳ・ＣＳブースタＢやスイッチングハブＳＨ）と同様に、ベース２１の下端部に設けられている被係止部２１ｄにボディ３の底壁下側に設けられている係止爪３ｄを係止させるとともにベース２１の上端部に設けられている取付孔２１ｆを通してボディ３の底壁上側に設けられているボス３ｆのねじ孔に取付ねじ３ｅを螺合することでボディ３に取り付けられる。そして、ボディ３に取り付けた後、本体２０からカバー３０を取り外せば、加入者線接続端子部４１や電話線接続端子部４２に対する電話線の接続（配線）作業を手元で行うことができる。したがって、従来と同様にカバー３０を本体２０に取り付けた状態で配線作業を行う場合、つまり、天井に近い高所で作業する場合と比較して配線作業の作業性が向上するものである。
【００３３】
ところで、ボックスカバー４には窓孔４ａが設けられているので、ボディ３にボックスカバー４を取り付けた状態でも電話端子台２に設けられているコンセント９０や露出端子ブロック５０、ＬＡＮ用のモジュラジャック８０の前面が窓孔４ａを通してボックス１の外に露出することになる。
【００３４】
例えば、ＡＤＳＬのように公衆電話回線を利用したインターネット接続サービスの提供を受ける場合、スライドスイッチ５３の操作摘み５３ａを操作して第１のモジュラジャック５１が加入者線接続端子部４１を介して加入者線に接続されるとともに電話線接続端子部４２と第２のモジュラジャック５２が加入者線から切り離された状態とし、マルチメディアポートの近くに設置したＡＤＳＬモデムの電源プラグをコンセント９０に接続し、第１のモジュラジャック５１とスプリッタのＬＩＮＥ端子をモジュラケーブルで接続し、スプリッタのＰＨＯＮＥ端子と第２のモジュラジャック５２をモジュラケーブルで接続するとともに、スプリッタのＭＯＤＥＭ端子とＡＤＳＬモデムをモジュラケーブルで接続し、さらに、ＡＤＳＬモデムとＬＡＮ用のモジュラジャック８０をＬＡＮケーブルで接続すれば、各部屋に設置されている情報コンセントに接続したパーソナル・コンピュータ等を使用してインターネット接続サービスを利用することができる。ここで、上記接続状態では第２のモジュラジャック５２及び電話線接続端子部４２が加入者線から切り離されており、情報コンセントを介して電話線接続端子部４２に接続される電話機やファクシミリ等の通信機器はスプリッタを介して加入者線に接続されるため、ＡＤＳＬの高周波信号がスプリッタでカットされて第２のモジュラジャック５２及び電話線接続端子部４２には漏れ出ないから、通信機器の通話やファックス通信などに悪影響を及ぼすことがない。
【００３５】
ここで、図８に示すように固定ねじ３２を回動自在に保持するための保持孔３３ａを貫通させた突起３３をカバー３０上側の側壁から上方へ突設し、カバー３０と本体２０（端子台ボディ２２）を上下２箇所で固定ねじ３２によりねじ止めするようにしても構わない。このように２箇所でねじ止めすれば本体２０とカバー３０の結合強度が増し、例えば、配線作業後に電話線が過度の力で引っ張られた場合でもカバー３０が本体２０から外れたりすることを確実に防ぐことができる。
【００３６】
また、本体２０には強電系の電源線接続端子部２３及び給電線接続端子部２４とともに弱電系のモジュラジャック８０が収納されているが、図９に示すようにモジュラジャック８０をカバー３０に収納する構成とすれば、強電系の電源線接続端子部２３並びに給電線接続端子部２４と、弱電系の加入者線接続端子部４１、電話線接続端子部４２、モジュラジャック８０とを容易に分離することができる。その結果、強電系と弱電系とで施工作業を行う作業者が異なる場合の作業性を向上することができる。
【００３７】
（実施形態２）
本実施形態は、電話端子台２における本体２０とカバー３０の取付構造に特徴があり、その他の構成については実施形態１と共通である。よって、実施形態１と共通の構成要件については同一の符号を付して図示並びに説明を適宜省略する。
【００３８】
図１０に示すように、端子台ボディ２２の前面にはねじ孔２２ｇの代わりに一対の係止部２２ｊが突設され、各係止部２２ｊが係脱自在に係止する一対の被係止部３４が固定ねじ３２及び突起３３の代わりにカバー３０に設けられている。なお、被係止部３４はカバー３０前板部の下端より後方へ突出した下側側壁に貫設された孔からなる。
【００３９】
而して、実施形態１と同様に、カバー３０の上側側板部の嵌合突起をベース２１の嵌合凹部２１ｅにそれぞれ嵌合するとともに、嵌合凹部２１ｅに嵌合させた嵌合突起を支点として後方へ回動させるようにしてカバー３０を本体２０の前面に被せれば、カバー３０の下側側壁の端縁に押されて係止部２２ｊが撓み、やがて係止部２２ｊが下側側壁を乗り越えて被係止部３４に挿入係止されることでカバー３０が本体２０に固定される。また、嵌合凹部２１ｅに嵌合させた嵌合突起を支点として前方へ回動させるようにしてカバー３０を手前に引けば、係止部２２ｊと被係止部３４との係止状態が解除されるので、嵌合突起と嵌合凹部２１ｅの嵌合を外せば、本体２０からカバー３０を容易に取り外すことができる。
【００４０】
このように本実施形態によれば、実施形態１のように工具（固定ねじ３２を締め付けたり緩めるためのドライバ）を使わなくてもカバー３０を本体２０に取り付けたり、カバー３０を本体２０から取り外すことができるため、実施形態１に比較して電話端子台２に対する配線作業の作業性が更に向上するという利点がある。なお、本実施形態とは逆にカバー３０に係止部を設けるとともに本体２０に被係止部を設けるようにしても構わない。
【図面の簡単な説明】
【００４１】
【図１】実施形態１における電話端子台を示し、（ａ）は本体にカバーを取り付けた状態の斜視図、（ｂ）は本体からカバーを取り外す途中の状態の斜視図、（ｃ）はカバーを取り外した状態（本体）の斜視図である。
【図２】同上を示し、（ａ）は正面図、（ｂ）は上面図、（ｃ）は左側面図、（ｄ）は右側面断面図、（ｅ）は下面図である。
【図３】同上のボックスカバーを外した状態の正面図である。
【図４】同上における電話端子台の分解斜視図である。
【図５】同上における電話端子台を示し、（ａ）は正面図、（ｂ）は上面図、（ｃ）は右側面図、（ｄ）は下面図である。
【図６】同上における電話端子台を示し、（ａ）はカバーを外した正面図、（ｂ）はカバーを外した上面図、（ｃ）はカバーを外した右側面図、（ｄ）はカバーを外した下面図である。
【図７】同上における電話端子台を示し、（ａ）は本体にカバーを取り付けた状態の右側面図、（ｂ）（ｃ）は本体からカバーを取り外す途中の状態の右側面図である。
【図８】同上における電話端子台の他の構成を示し、（ａ）は本体にカバーを取り付けた状態の斜視図、（ｂ）は本体からカバーを取り外す途中の状態の斜視図、（ｃ）はカバーを取り外した状態（本体）の斜視図である。
【図９】同上における電話端子台の更に他の構成を示し、（ａ）は本体にカバーを取り付けた状態の斜視図、（ｂ）は本体からカバーを取り外す途中の状態の斜視図、（ｃ）はカバーを取り外した状態（本体）の斜視図である。
【図１０】実施形態２における電話端子台を示し、（ａ）は本体にカバーを取り付けた状態の斜視図、（ｂ）は本体からカバーを取り外す途中の状態の斜視図、（ｃ）はカバーを取り外した状態（本体）の斜視図である。
【符号の説明】
【００４２】
１  ボックス
２  電話端子台
３  ボディ
４  ボックスカバー
２０  本体
２３  電源線接続端子部
２４  給電線接続端子部
３０  カバー
４０  電話線接続端子ブロック
４１  加入者線接続端子部
４２  電話線接続端子部
【図１】
2008277427.tif 000003
【図２】
2008277427.tif 000004
【図３】
2008277427.tif 000005
【図４】
2008277427.tif 000006
【図５】
2008277427.tif 000007
【図６】
2008277427.tif 000008
【図７】
2008277427.tif 000009
【図８】
2008277427.tif 000010
【図９】
2008277427.tif 000011
【図１０】
2008277427.tif 000012